【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
供給された固体燃料を粉砕する粉砕部と、
中心軸線周りに所定の間隔で設けられた複数の羽根を具備する分級部を、該中心軸線回りに回転することで、前記粉砕部で粉砕された微粉燃料を分級する回転式分級機と、
前記分級部の内側に設けられ、前記分級部によって分級された前記微粉燃料を外部に排出する排出部と、
前記分級部の前記中心軸線回りの回転方向を制御する回転方向変更手段と、
前記分級部を正回転させる正回転運転モード及び前記分級部を前記正回転とは反対方向である逆回転させる逆回転運転モードを有し、粉砕機の運転中と停止中の何れも前記正回転運転モードと前記逆回転運転モードとを切り換えられる制御装置と、を備え、
前記複数の羽根は、それぞれ、平面視したときに、半径方向外側端部の回転軌跡に対する接線に対して傾斜するように設けられている粉砕機。
【請求項２】
前記微粉燃料を前記粉砕部から前記排出部に搬送する搬送用ガスを供給する搬送用ガス供給部と、
前記搬送用ガス供給部と前記排出部との差圧を計測する差圧計測手段と、を備え、
前記差圧計測手段が計測した差圧に基づいて、前記分級部の回転方向を決定する請求項１に記載の粉砕機。
【請求項３】
前記回転式分級機の前記分級部に対して駆動力を供給する駆動部と、
前記駆動部の駆動力を計測する駆動力計測手段と、を備え、
前記駆動力計測手段が計測した駆動力に基づいて、前記分級部の回転方向を決定する請求項１に記載の粉砕機。
【請求項４】
前記分級部の回転数を制御する回転数制御手段を備える請求項１に記載の粉砕機。
【請求項５】
前記回転式分級機の前記分級部に対して駆動力を供給する駆動部と、
前記回転式分級機を前記駆動部から駆動力が供給されない状態とする切り離し手段と、を備える請求項１から請求項４のいずれかに記載の粉砕機。
【請求項６】
供給された固体燃料を粉砕する粉砕部と、
中心軸線周りに所定の間隔で設けられた複数の羽根を具備する分級部を、該中心軸線回りに回転することで、前記粉砕部で粉砕された微粉燃料を分級する回転式分級機と、
前記分級部の内側に設けられ、前記分級部によって分級された前記微粉燃料を外部に排出する排出部と、
前記回転式分級機の前記分級部に対して駆動力を供給する駆動部と、
前記分級部を前記駆動部から駆動力が供給されない状態であって、前記分級部が自由に回転する状態とする切り離し手段と、を備え、
前記複数の羽根は、それぞれ、平面視したときに、半径方向外側端部の回転軌跡に対する接線に対して傾斜するように設けられている粉砕機。
【請求項７】
前記微粉燃料を前記粉砕部から前記排出部に搬送する搬送用ガスを供給する搬送用ガス供給部と、
前記搬送用ガス供給部と前記排出部との差圧を計測する差圧計測手段と、を備え、
前記差圧計測手段が計測した差圧に基づいて、前記切り離し手段を作動させる請求項５または請求項６に記載の粉砕機。
【請求項８】
前記駆動部の駆動力を計測する駆動力計測手段を備え、
前記駆動力計測手段が計測した駆動力に基づいて、前記切り離し手段を作動させる請求項５または請求項６に記載の粉砕機。
【請求項９】
供給された固体燃料を粉砕する粉砕部と、
中心軸線周りに所定の間隔で設けられた複数の羽根を具備する分級部を、該中心軸線回りに回転することで、前記粉砕部で粉砕された微粉燃料を分級する回転式分級機と、
前記分級部の内側に設けられ、前記分級部によって分級された前記微粉燃料を外部に排出する排出部と、
前記分級部の前記中心軸線回りの回転方向を制御する回転方向変更手段と、
前記分級部を正回転させる正回転運転モード及び前記分級部を前記正回転とは反対方向である逆回転させる逆回転運転モードを有し、粉砕機の運転中と停止中の何れも前記正回転運転モードと前記逆回転運転モードとを切り換えられる制御装置と、を備え、
前記複数の羽根は、それぞれ、平面視したときに、半径方向外側端部の回転軌跡に対する接線に対して傾斜するように設けられている粉砕機の運転方法であって、
前記回転方向変更手段によって前記分級部の回転方向を変更するステップを備える粉砕機の運転方法。
【請求項１０】
供給された固体燃料を粉砕する粉砕部と、
中心軸線周りに所定の間隔で設けられた複数の羽根を具備する分級部を、該中心軸線回りに回転することで、前記粉砕部で粉砕された微粉燃料を分級する回転式分級機と、
前記分級部の内側に設けられ、前記分級部によって分級された前記微粉燃料を外部に排出する排出部と、
前記回転式分級機の前記分級部に対して駆動力を供給する駆動部と、
前記分級部を前記駆動部から駆動力が供給されない状態であって、前記分級部が自由に回転する状態とする切り離し手段と、を備え、
前記複数の羽根は、それぞれ、平面視したときに、半径方向外側端部の回転軌跡に対する接線に対して傾斜するように設けられている粉砕機の運転方法であって、
前記切り離し手段によって、前記分級部を前記駆動部から駆動力が供給されない状態とするステップを備える粉砕機の運転方法。
【手続補正２】
【補正対象書類名】明細書
【補正対象項目名】０００８
【補正方法】変更
【補正の内容】
【０００８】
上記課題を解決するために、本開示の粉砕機及び粉砕機の運転方法は以下の手段を採用する。
本発明の幾つかの実施形態に係る粉砕機は、供給された固体燃料を粉砕する粉砕部と、中心軸線周りに所定の間隔で設けられた複数の羽根を具備する分級部を、該中心軸線回りに回転することで、前記粉砕部で粉砕された微粉燃料を分級する回転式分級機と、前記分級部の内側に設けられ、前記分級部によって分級された前記微粉燃料を外部に排出する排出部と、前記分級部の前記中心軸線回りの回転方向を制御する回転方向変更手段と、前記分級部を正回転させる正回転運転モード及び前記分級部を前記正回転とは反対方向である逆回転させる逆回転運転モードを有し、粉砕機の運転中と停止中の何れも前記正回転運転モードと前記逆回転運転モードとを切り換えられる制御装置と、を備え、前記複数の羽根は、それぞれ、平面視したときに、半径方向外側端部の回転軌跡に対する接線に対して傾斜するように設けられている。
【手続補正３】
【補正対象書類名】明細書
【補正対象項目名】００２２
【補正方法】変更
【補正の内容】
【００２２】
本発明の幾つかの実施形態に係る粉砕機は、供給された固体燃料を粉砕する粉砕部と、中心軸線周りに所定の間隔で設けられた複数の羽根を具備する分級部を、該中心軸線回りに回転することで、前記粉砕部で粉砕された微粉燃料を分級する回転式分級機と、前記分級部の内側に設けられ、前記分級部によって分級された前記微粉燃料を外部に排出する排出部と、前記回転式分級機の前記分級部に対して駆動力を供給する駆動部と、前記分級部を前記駆動部から駆動力が供給されない状態であって、前記分級部が自由に回転する状態とする切り離し手段と、を備え、前記複数の羽根は、それぞれ、平面視したときに、半径方向外側端部の回転軌跡に対する接線に対して傾斜するように設けられていてもよい。
【手続補正４】
【補正対象書類名】明細書
【補正対象項目名】００３３
【補正方法】変更
【補正の内容】
【００３３】
本発明の幾つかの実施形態に係る粉砕機の運転方法は、供給された固体燃料を粉砕する粉砕部と、中心軸線周りに所定の間隔で設けられた複数の羽根を具備する分級部を、該中心軸線回りに回転することで、前記粉砕部で粉砕された微粉燃料を分級する回転式分級機と、前記分級部の内側に設けられ、前記分級部によって分級された前記微粉燃料を外部に排出する排出部と、前記分級部の前記中心軸線回りの回転方向を制御する回転方向変更手段と、前記分級部を正回転させる正回転運転モード及び前記分級部を前記正回転とは反対方向である逆回転させる逆回転運転モードを有し、粉砕機の運転中と停止中の何れも前記正回転運転モードと前記逆回転運転モードとを切り換えられる制御装置と、を備え、前記複数の羽根は、それぞれ、平面視したときに、半径方向外側端部の回転軌跡に対する接線に対して傾斜するように設けられている粉砕機の運転方法であって、前記回転方向変更手段によって前記分級部の回転方向を変更するステップを備える。
【手続補正５】
【補正対象書類名】明細書
【補正対象項目名】００３４
【補正方法】変更
【補正の内容】
【００３４】
また、本発明の幾つかの実施形態に係る粉砕機の運転方法は、供給された固体燃料を粉砕する粉砕部と、中心軸線周りに所定の間隔で設けられた複数の羽根を具備する分級部を、該中心軸線回りに回転することで、前記粉砕部で粉砕された微粉燃料を分級する回転式分級機と、前記分級部の内側に設けられ、前記分級部によって分級された前記微粉燃料を外部に排出する排出部と、前記回転式分級機の前記分級部に対して駆動力を供給する駆動部と、前記分級部を前記駆動部から駆動力が供給されない状態であって、前記分級部が自由に回転する状態とする切り離し手段と、を備え、前記複数の羽根は、それぞれ、平面視したときに、半径方向外側端部の回転軌跡に対する接線に対して傾斜するように設けられている粉砕機の運転方法であって、前記切り離し手段によって、前記分級部を前記駆動部から駆動力が供給されない状態とするステップを備える。